(57)【要約】【課題】傘を閉める体積の小さい自動開傘を提供する。【解決手段】傘中棒１のトップに固定される上ハブ２と、傘中棒１と摺動する下ハブ３と、内端が上ハブ２と接続する傘布支え骨と、外端が傘布支え骨と接続する支え骨５と、傘を開く時に下ハブ３の過度の上昇を防止する止め具２１と、傘を開くばね装置７とを備える。傘を開くばね装置７は、複数本の内端部が下ハブ３と接続するスリーブ及び圧縮ばねを有し、スリーブの外側のエンド口に挿入される支え骨５の内端部はスリーブの内壁と摺動して圧縮ばね７２を圧縮する。傘を閉めるとき、支え骨５の内端部はスリーブの内側の深度方向へ滑って、圧縮ばねを圧縮させ、弾性ポテンシャルを貯えさせる。傘を開くとき、弾性ポテンシャルがリリースし、支え骨５を外へ滑らせる。【選択図】図１
0003138935.tif 000002
【実用新案登録請求の範囲】
【請求項１】
傘中棒（１）のトップに固定される上ハブ（２）と、傘中棒（１）と摺動する下ハブ（３）と、内端が上ハブ（２）と接続する傘布支え骨と、外端が傘布支え骨と接続する支え骨（５）と、傘を開くときに下ハブ（３）の過度の上昇を防止する止め具（２１）と、傘を開くばね装置（７）と、一端が前記下ハブ（３）に接続し、他端が支え骨（５）と接続する張線（６）と、を備える自動開傘であって、
前記傘を開くばね装置（７）は、内端部が下ハブ（３）と接続するスリーブ（７１）並びに前記スリーブ（７１）内に設けられる圧縮ばね（７２）を有し、
前記支え骨（５）の一方の端部は、前記スリーブ（７１）のエンド口に挿入され、前記スリーブの内壁を摺動し、前記圧縮ばね（７２）を圧縮可能であり、
前記張線（６）は、前記スリーブ（７１）と前記スリーブ（７１）を摺動する前記支え骨（５）とが離れないように支え骨（５）の可動範囲を制限し、
傘を閉めるとき、前記支え骨（５）の端部は前記スリーブ（７１）の内側の深度方向へ滑って、前記圧縮ばね（７２）を圧縮させ、弾性ポテンシャルを貯えさせ、傘を開くとき、弾性ポテンシャルがリリースし、前記支え骨（５）を外へ滑らせることを特徴とする自動傘。
【請求項２】
前記下ハブ（３）は、上部接続ハブ（３１）及び下部接続ハブ（３２）を有し、
前記スリーブ（７１）の端部に設けられる接続孔を一本の鉄線が貫通し、前記上部接続ハブ（３１）の中で固定され、前記スリーブ（７１）の端部を前記上部接続ハブ（３１）の中に接続し、
前記張線（６）の端部に設けられる接続孔を一本の鉄線が貫通し、前記下部接続ハブ（３２）の中で固定され、前記張線（６）の端部を前記下部接続ハブ（３２）の中に接続することを特徴とする請求項１記載の自動開傘。
【請求項３】
前記止め具（２１）は、傘中棒（１）に設けられている突起部であることを特徴とする請求項１又は請求項２記載の自動開傘。
【請求項４】
前記止め具（２１）は、前記上ハブ（２）と前記下ハブ（３）との間に設けられ、且つ傘中棒（１）の外に接続されるスリーブであることを特徴とする請求項１又は請求項２記載の自動開傘。
【請求項５】
前記張線（６）は、軟質或は硬質材料であることを特徴とする請求項１又は請求項２記載の自動開傘。
【請求項６】
傘骨組みが直骨組みの場合、前記傘布支え骨は長骨（８）であり、前記支え骨（５）の外端が前記長骨（８）の中間部に設けられる接続部品(８１)に接続されることを特徴とする請求項１又は請求項２記載の自動開傘。
【請求項７】
傘骨組みがマルチ折畳み骨組みの場合、前記傘布支え骨は内から外に順次接続する主骨（９１）、張線（９２）及び尾骨（９３）を備え、
前記主骨（９１）の一端が上ハブと接続し、他端が支え骨（５）の中間部と接続し、
前記張線（９２）の一端が主骨（９１）の後部と接続し、他端が尾骨（９３）の先端部と接続し、
前記支え骨（５）の一端が尾骨（９３）の中間部と接続していることを特徴とする請求項１又は請求項２記載の自動開傘。
【請求項８】
連結金具（５１）は、前記支え骨（５）の上に設置され、前記張線（６）の一端が連結金具（５１）と接続していることを特徴とする請求項１又は請求項２記載の自動開傘。
【考案の詳細な説明】
【技術分野】
【０００１】
本考案は、一種の晴雨兼用傘に関し、特に、自動開傘の傘を開く骨組みの構造に関する。
【背景技術】
【０００２】
従来の自動開傘を図１に示す。自動開傘の傘を開く構造は、一般に中ハブ１’と下ハブ２’との間に傘開けばね３’が設置され、支え骨５’とテンションバー６’との内端はそれぞれ中ハブ１’と下ハブ２’とピン継ぎ手による接続をしていて、傘開けばね３’の伸縮により、支え骨５’とテンションバー６’との間のねじ山の角度を変化し、傘を開けたり、閉めたりする目的が達成する。この構造の自動傘の骨組みは、直接に外に露出しており、外観に影響があるだけではなく、手を挟む可能性がある。また、この構造を採用すれば、中ハブと下ハブと直径を大きくする必要があり、それに応じて傘を閉める体積も大きくなる。
【考案の開示】
【考案が解決しようとする課題】
【０００３】
本考案は、外観がよく、且つ傘を閉める体積が小さい自動開傘の傘を開く骨組みの構造を提供するものである。
【課題を解決するための手段】
【０００４】
請求項１に係る考案によると、自動傘の骨組みは、傘の中棒のトップに固定する上ハブが傘の中棒の下ハブにスライドスリーブ接続され、内端が上ハブとピン継ぎ手により接続する傘布支え骨と、外端が傘布支え骨とピン継ぎ手により接続する支え骨と、傘を開く時に下ハブの過度の上昇を防止する止め具と、傘を開くばね装置と、を含んでいることを特徴とする。これにより、自動傘の骨組みは、外観がよく、且つ傘を閉める体積を小さくできる。
【０００５】
傘を開くばね装置は、複数本の内端部が下ハブとピン継ぎ手により接続するスリーブと、スリーブ内にある圧縮ばねとを備え、スリーブの外側のエンド口に挿入する支え骨の内端部はスリーブの内壁と摺動して圧縮ばねを圧縮し、両端が下ハブ及び支え骨と接続する張線は支え骨と摺動するスリーブと離れないように支え骨の可動範囲を制限する。
【０００６】
傘を閉める時、支え骨の内端部はスリーブの内側の深度方向へ滑って、圧縮ばねを圧縮させ、弾性ポテンシャルを貯えさせ、傘を開く時、弾性ポテンシャルがリリースし、支え骨を外へ滑らせ、傘を開く目的が達成されることを特徴とする。これにより、自動傘の骨組みは、外観がよく、且つ傘を閉める体積を小さくできる。
【０００７】
請求項２に係る考案によると、下ハブが上部ピン継ぎ手により上部接続ハブ及び下部接続ハブを備えて、一本の鉄線はスリーブの内端部の接続孔を通りぬけてから、上部接続ハブの中に縛られ、張線の内端部が下部接続ハブの中に接続されることを特徴とする。これにより、自動傘の骨組みは、外観がよく、且つ傘を閉める体積を小さくできる。
請求項３および請求項４に係る考案によると、止め具は中間棒に設ける突起部でもよく、或いは、上ハブと下ハブの間に設けられ、且つ中間棒の外に接続されるスリーブでもいいことを特徴とする。これにより、自動傘の骨組みは、外観がよく、且つ傘を閉める体積を小さくできる。
【０００８】
請求項５に係る考案によると、張線は軟質或いは硬質材料であることを特徴とする。これにより、自動傘の骨組みは、外観がよく、且つ傘を閉める体積を小さくできる。
請求項６と請求項７に係る本考案は、傘骨組みが直骨組みの場合、傘布支え骨が長骨で、支え骨の外端が長骨の中部の接続部品にピン継ぎ手により接続される。
傘骨組みがマルチ折畳み骨組みの場合、傘布支え骨は内から外に順次接続している主骨、張線及び尾骨を備え、主骨の内端と外端とがそれぞれ上ハブと支え骨の中部とピン継ぎ手により接続し、張線の両端がそれぞれ主骨の後部及び尾骨の前先端部と接続し、支え骨の外端が尾骨の内端とピン継ぎ手により接続している。これにより、自動傘の骨組みは、外観がよく、且つ傘を閉める体積を小さくできる。
【０００９】
請求項８に係る考案によると、一つの連結金具が支え骨の上に設置され、張線の外端がこの連結金具と接続していることを特徴とする。これにより、自動傘の骨組みは、外観がよく、且つ傘を閉める体積を小さくできる。
【考案を実施するための最良の形態】
【００１０】
本考案の一実施例を図２から図５を参照して説明する。
図２と図３に示すように、本考案の一実施例による自動傘の骨組みの構造は、傘中棒１のトップに固定する上ハブ２と、傘中棒１と摺動する下ハブ３と、内端が上ハブ２とピン継ぎ手により接続する傘布支え骨と、外端が傘布支え骨とピン継ぎ手により接続する支え骨５と、傘を開く時に下ハブ３の過度の上昇を防止する止め具２１と、傘を開くばね装置７とを含んでいる。
【００１１】
図４に示すように、本実施例の自動傘の骨組みの特色として、傘を開くばね装置７は、複数本の内端部が下ハブ３とピン継ぎ手により接続するスリーブ７１及びスリーブ７１内にある圧縮ばね７２を備え、スリーブ７１の外側のエンド口に挿入する支え骨５の内端部はスリーブの内壁と摺動して圧縮ばね７２に押し出され、また、両端が下ハブ３及び支え骨５と接続する張線６は、支え骨５と摺動するスリーブ７１とが離れないよう、支え骨５を制限している。張線は、軟質或いは硬質材料であってもよく、例えば、ロープ或いは鉄線であってもよい。
【００１２】
図２と図３に示すように、下ハブ３が上部接続ハブ３１及び下部接続ハブ３２を備え、一本の鉄線はスリーブ７１の内端部の接続孔を通りぬけて上部接続ハブ３１の中に接続され、張線６の内端部が下部接続ハブ３２の中に接続される。止め具２１は、中間棒１に設ける図示しない突起部でもよく、或いは、上ハブ２と下ハブ３の間に設けられ、且つ中間棒１の外に接続されるスリーブでもよく、このスリーブ７１は図２に示す上ハブ２の底部或いは下ハブ３のトップに固定し、或いは、上ハブ２と下ハブ３の間にスライドスリーブ接続してもよい。傘を自動に開ける時、下ハブ３及び止め具２１は互いに接触することにより、下ハブ３がそれ以上には上方へ移動できず、最適のサポート位置に止まる。一つの連結金具５１が支え骨５の底部に設置される。連結金具５１と支え骨５との設置は、各種の構造を採用できるが、例えば、図４に示すようにフックの口が外と上向きのクランプフック、或いは、図示しない貫通孔付きのダミークラブ等によるものである。本実施例は、クランプフックのような連結金具を採用し、張線６の外端がこの連結金具５１とクリップ接続している。また、支え骨５が滑ることができるように連結金具５１とスリーブ７１との間に一定の距離が必要であり、従って、傘が閉まる状態で、支え骨５がスリーブ７１に入る位置はもっとも深く、図２と図３において、連結金具５１はスリーブ７１の外側に位置している。
【００１３】
図５に示すように、下ハブ３を引き下ろして傘を閉める時、張線６がそれに伴って支え骨５を引き下ろし、張線６の内端部はスリーブ７１の内側の深度方向へ滑り、圧縮ばね７２を圧縮させ、弾性ポテンシャルを貯えさせる。このため、図２に示すように、傘を開く時、弾性ポテンシャルがリリースし、支え骨５を外へ滑らせて、傘を開けることが実現する。
本実施例の自動傘の骨組みは、直骨傘と折畳傘に適用することができるが、以下にそれぞれ説明する。
【００１４】
図２に示すように、傘骨組みが直骨組みの場合、傘布支え骨が長骨８で、支え骨５の外端が長骨８の中間部に設置されている接続部品８１にピン継ぎ手により接続される。
図３に示すように、傘骨組みがマルチ折畳み骨組みの場合、傘布支え骨は内から外に順次接続している主骨９１、張線９２及び尾骨９３を備えていて、主骨９１の内端と外端とがそれぞれ上ハブ２と支え骨５の中間部に設置されているピン継ぎ手により接続し、張線９２の両端がそれぞれ主骨９１の後部及び尾骨９３の前先端部と接続して、支え骨５の外端が尾骨９３の内端とピン継ぎ手により接続している。
【００１５】
（考案の効果）
従来の技術と比較すると、本考案は以下のメリットを持っている。
本考案の自動開傘の骨組みは、傘を開くばね装置が支え骨がスリーブ内にあるばねを圧縮することによって生じる弾性ポテンシャルを利用して、傘を開く目的を実現する。このとき、ばねがスリーブの中に隠れるので、外から見えない、したがって、外観が良く、手を挟む恐れもない。このため、使用上、安全になる。また、この構造では、下ハブの直径を小さくすることができ、効果的に傘を閉める体積を低減することができ、携帯に便利である。
【図面の簡単な説明】
【００１６】
【図１】従来の技術の自動開傘の骨組みを示す模式図である。
【図２】本考案の一実施例による自動開傘の骨組みの直骨傘の構造を示す模式図である。
【図３】本考案の一実施例による自動開傘の骨組みのマルチ折畳み骨傘の構造を示す模式図である。
【図４】本考案の一実施例による自動開傘の骨組みのスリーブと支え骨との接続部を示す模式図である。
【図５】本考案の一実施例による自動開傘の骨組みの直骨傘の傘を閉める時の構造を示す模式図である。
【符号の説明】
【００１７】
１：中間棒、２：上ハブ、３：下ハブ、５：支え骨、６：張線、７：傘を開くばね装置、８：長骨、２１：止め具、３１：上部（ピン継ぎ手）接続ハブ、３２：下部接続（ピン継ぎ手）ハブ、５１：連結金具、７１：スリーブ、７２：圧縮ばね、８２：尾骨、９１：主骨、９２：張線、９３尾骨
【図１】
0003138935.tif 000003
【図２】
0003138935.tif 000004
【図３】
0003138935.tif 000005
【図４】
0003138935.tif 000006
【図５】
0003138935.tif 000007